(57)【要約】【課題】文書の関連コンテンツを簡易に印刷することが可能な情報処理システムを提供する。【解決手段】文書ＩＤを取得する紙文書ＩＤ認識手段１３ａと、文書に関連する関連コンテンツのＵＲＬをインターネット上で取得する関連情報検索手段１３ｂとを有する携帯電話３と、携帯電話３から文書ＩＤと関連コンテンツのＵＲＬとを取得して、格納するリンク情報保持手段１４ｂと、文書ＩＤを取得して、該文書ＩＤに対応する関連コンテンツのＵＲＬを、リンク情報保持手段１４ｂから取得し、ＵＲＬに基づいてインターネット上から取得される関連コンテンツを印刷する複合機２と、を備える。【選択図】図２
2009088876.tif 000002
【特許請求の範囲】
【請求項１】
文書の識別子を取得する識別子取得手段と、前記文書に関連する関連情報の所在情報をネットワーク上で取得する関連情報取得手段とを有する携帯情報端末と、
前記携帯情報端末から前記文書の識別子と当該識別子に関連付けられた前記関連情報の所在情報とを取得して、保持する保持手段と、
前記文書の識別子を取得して、該識別子に対応する前記関連情報の所在情報を、前記保持手段から取得し、前記所在情報に基づいてネットワーク上から取得される前記関連情報に対する処理を行う処理手段と、を備える情報処理システム。
【請求項２】
前記処理手段は、前記関連情報の表示、前記関連情報の印刷、前記関連情報の記憶媒体への保存、前記関連情報の所定の端末への送信の少なくとも１つの処理を実行することを特徴とする請求項１に記載の情報処理システム。
【請求項３】
前記関連情報の所在情報に基づく、前記処理手段からの問い合わせを受けて、前記ネットワーク上で前記関連情報を取得し、該関連情報を前記処理手段に供給する関連情報供給手段を更に備える請求項１又は２に記載の情報処理システム。
【請求項４】
前記識別子取得手段は、カメラを含み、
前記携帯情報端末は、紙媒体に前記文書とともに印刷されている前記識別子のコードの、前記カメラによる撮影画像に基づいて、前記文書の識別子を取得することを特徴とする請求項１〜３のいずれか一項に記載の情報処理システム。
【請求項５】
前記文書を、前記文書の識別子に基づくコードとともに、前記紙媒体に印刷する印刷手段を更に備える請求項４に記載の情報処理システム。
【請求項６】
前記文書が印刷された紙媒体をスキャンして、文書イメージを作成するスキャン手段と、
前記文書イメージに基づいて、前記識別子を生成する識別子生成手段と、
前記識別子生成手段により生成された前記識別子を前記携帯情報端末に送信する送信手段と、を更に備える請求項１〜５のいずれか一項に記載の情報処理システム。
【請求項７】
前記送信手段は、前記携帯情報端末が有するＩＣタグと、前記スキャン手段が有するＩＣタグリーダライタと、を有することを特徴とする請求項６に記載の情報処理システム。
【請求項８】
前記ネットワークは、インターネットであることを特徴とする請求項１〜７のいずれか一項に記載の情報処理システム。
【発明の詳細な説明】
【技術分野】
【０００１】
本発明は情報処理システムに関し、特に携帯情報端末を用いた情報処理に好適な情報処理システムに関する。
【背景技術】
【０００２】
近年における情報化社会においては、情報が多岐に渡っている。このため、パーソナルコンピュータ（ＰＣ）などの情報機器においては、同種の情報又は関連する情報をグループ化し、そのグループ化された情報をフォルダなどを用いて一括管理する手法が、一般化してきている。
【０００３】
これに対し、最近では、携帯端末のカメラで撮影した画像イメージに関して、関連情報（メモなど）を記入できるようにすることで、画像とメモを一括して保存できるようにする技術が出現してきている（例えば、特許文献１参照）。これにより、ユーザは、メモの内容に基づいて画像を検索することができるので、画像検索の効率化を図ることが可能である。
【０００４】
【特許文献１】特開２００５−２５２３７３号公報
【発明の開示】
【発明が解決しようとする課題】
【０００５】
近年においては、Ｗｅｂブラウザの機能を備えた携帯電話機の出現・普及により、インターネット上に提供されているさまざまな情報を、携帯電話機を用いて検索・閲覧することができるようになってきている。
【０００６】
また、上記のような背景を受けて、移動中や移動先などＰＣを利用することが比較的困難な環境（モバイルワーク環境）で、文書が印刷された紙媒体（紙文書）を閲覧しながら、当該紙文書に書かれた内容に関連した情報を、携帯電話機を用いて検索するような場面が増えてきている。
【０００７】
しかしながら、携帯電話機を用いて検索したＷｅｂページ等は、携帯電話機のメモリに「画面メモ」などとして保存しておくことは可能ではあるが、紙文書と対応付けた保存（記憶）を行うことはできないため、後で紙文書を利用する際に、携帯電話機で検索した多数の関連情報に再度アクセスするのに手間がかかるおそれがある。
【０００８】
また、上記特許文献１の技術を応用して、紙文書を予め撮影しておき、その撮影画像と関連情報とを関連付けて保存するという手法を採用することも考えられる。しかるに、携帯電話で撮影される画像は画質が荒い（携帯電話に設けられたカメラの解像度が低い）ことが多いため、紙文書を撮影したとしても、どの紙文書とどの撮影画像とが対応しているのかを瞬時に判断するのは難しいと考えられる。
【０００９】
そこで本発明は上記の課題に鑑みてなされたものであり、文書の関連情報を簡易に処理（表示や印刷、送信などの処理）することが可能な情報処理システムを提供することを目的とする。
【課題を解決するための手段】
【００１０】
上記課題を解決するために、本発明は、文書の識別子を取得する識別子取得手段と、前記文書に関連する関連情報の所在情報をネットワーク上で取得する関連情報取得手段とを有する携帯情報端末と、前記携帯情報端末から前記文書の識別子と当該識別子に関連付けられた前記関連情報の所在情報とを取得して、保持する保持手段と、前記文書の識別子を取得して、該識別子に対応する前記関連情報の所在情報を、前記保持手段から取得し、前記所在情報に基づいてネットワーク上から取得される前記関連情報に対する処理を行う処理手段と、を備える情報処理システムである。
【００１１】
これによれば、保持手段は、携帯情報端末により取得された、文書の識別子と文書に関連する関連情報の所在情報とを保持し、処理手段は、取得した文書の識別子に対応する前記関連情報の所在情報を、保持手段から取得して、それに基づいてネットワーク上から取得される関連情報に対する処理を行うので、ユーザは、処理手段に文書の識別子を取得させる動作を行うのみで、処理手段にその識別子に対応する文書の関連情報を取得させ、かつ処理させることが可能となる。これにより、ユーザは、携帯情報端末上で過去に閲覧した関連情報を再検索等することなく、文書の関連情報を簡易に処理（表示や印刷、送信などの処理）することが可能となる。
【００１２】
この場合において、前記処理手段は、前記関連情報の表示、前記関連情報の印刷、前記関連情報の記憶媒体への保存、前記関連情報の所定の端末への送信の少なくとも１つの処理を実行することとすることができる。このうち、関連情報の表示には、ディスプレイやプロジェクタなどへの表示を含み、関連情報の所定の端末への送信には、メールによる送信、ファックスによる送信などを含む。
【００１３】
また、本発明では、前記関連情報の所在情報に基づく、前記処理手段からの問い合わせを受けて、前記ネットワーク上で前記関連情報を取得し、該関連情報を前記処理手段に供給する関連情報供給手段を更に備えることとすることができる。かかる場合には、関連情報の所在情報に基づいてネットワーク上で関連情報を取得する機能を、処理手段自体に設ける必要が無くなる。
【００１４】
また、本発明では、前記識別子取得手段は、カメラを含み、前記携帯情報端末は、紙媒体に前記文書とともに印刷されている前記識別子のコードの、前記カメラによる撮影画像に基づいて、前記文書の識別子を取得することとすることができる。この場合において、前記文書を、前記文書の識別子に基づくコードとともに、前記紙媒体に印刷する印刷手段を更に備えることとすることができる。
【００１５】
また、本発明では、前記文書が印刷された紙媒体をスキャンして、文書イメージを作成するスキャン手段と、前記文書イメージに基づいて、前記識別子を生成する識別子生成手段と、前記識別子生成手段により生成された前記識別子を前記携帯情報端末に送信する送信手段と、を更に備えることとすることができる。この場合において、前記送信手段は、前記携帯情報端末が有するＩＣタグと、前記スキャン手段が有するＩＣタグリーダライタと、を有することとすることができる。
【００１６】
また、本発明では、前記ネットワークは、インターネットであることとすることができる。かかる場合には、インターネット上に存在する情報資源を有効に利用することが可能となる。
【発明の効果】
【００１７】
本発明によれば、文書の関連情報を簡易に処理（表示や印刷、送信などの処理）することが可能な情報処理システムを提供することができる。
【発明を実施するための最良の形態】
【００１８】
《第１の実施形態》
以下、本発明を実施するための第１の実施形態について図１〜図７（ｄ）に基づいて詳細に説明する。
【００１９】
図１には、本第１の実施形態の情報処理システム１００の構成が概略的に示されている。この図１に示されるように、情報処理システム１００は、文書一時保存サーバ１ａと、リンク情報管理サーバ１ｂと、複合機２（処理手段）と、ユーザが自席にて使用する自席パーソナルコンピュータ（ＰＣ）４と、を備えており、これら各装置は、イントラネット６に接続されている。また、イントラネット６は、ＳＳＬ−ＶＰＮ（Secure Socket Layer Virtual Private Network）装置５を介して、インターネットに接続されている。
【００２０】
文書一時保存サーバ１ａは、複合機２で印刷する電子文書を一時的に保存する機能と、その電子文書に対応した一意の文書ＩＤを生成する機能を有している。これら文書一時保存サーバ１ａの機能のうち、電子文書を一時的に保存する機能が、図２では、文書一時保存手段１１ｂとして示され、文書ＩＤを生成する機能が、文書ＩＤ算出提供手段１１ａ（識別子生成手段）として示されている。文書ＩＤ算出提供手段１１ａは、例えば、電子文書のコンテンツをキーとするハッシュ値（暗号化等で一般に利用されるＳＨＡ−２５６等のアルゴリズムによって計算される値）を計算し、そのハッシュ値を電子文書の文書ＩＤとして割り当てることにより、文書ＩＤを生成している。
【００２１】
また、文書一時保存サーバ１ａは、所定のＵＲＬ（Uniform Resource Locator）に対応するコンテンツをインターネット上で検索し、それにより取得されたコンテンツを、複合機２に送信するという機能も有している。図２では、この機能が、関連コンテンツ検索手段１１ｃ（関連情報供給手段）として示されている。
【００２２】
リンク情報管理サーバ１ｂは、文書一時保存サーバ１ａにおいて生成された文書ＩＤと、その文書ＩＤが付与された電子文書に関連する関連情報（携帯電話３において閲覧されたコンテンツ）の所在情報（ＵＲＬ）とを受信する機能と、それらの情報を関連付けた状態で格納する機能と、を有している。図２では、これら各機能が、リンク情報受信手段１４ａ、リンク情報保存手段１４ｂ（保持手段）として示されている。
【００２３】
なお、図２では不図示であるが、リンク情報管理サーバ１ｂは、文書ＩＤが付与された文書コンテンツ（電子文書）を文書一時保存サーバ１ａから取得する機能と、当該文書コンテンツに対して、関連するＵＲＬのリンク情報を埋め込んだビューワ形式の文書（ＰＤＦ形式等の文書ファイル）を生成する機能と、生成されたビューワ形式の文書を格納する機能と、を有している。
【００２４】
図１に戻り、複合機２は、紙文書をスキャンする機能や、コピー機能、印刷機能（ネットワークプリンタとしての機能）、ファックス機能などを有している。
【００２５】
また、複合機２は、自席ＰＣ４等からの指示を受けて、電子文書を印刷するに際して、当該電子文書を文書一時保存サーバ１ａに送信する機能と、文書一時保存サーバ１ａにおいて生成された文書ＩＤを取得する機能とを有している。また、複合機２は、取得した文書ＩＤを図３に示されるようなＱＲコード等のコード情報（識別子コード）１１１に変換し、電子文書とともに、その識別子コード１１１を紙媒体に印刷する機能も有している。図２では、これら各機能を纏めて、ＩＤ付き文書印刷手段１２ａ（印刷手段）として示されている。なお、識別子コード１１１としては、ＱＲコードに限らず、バーコードなどの別のコードを採用しても良い。
【００２６】
更に、複合機２は、紙媒体をスキャンすることにより、当該紙媒体に印刷されている識別子コード１１１を読み取る機能（図２の文書ＩＤ読み取り手段１２ｂ）と、読み取った識別子コード１１１の文書ＩＤを用いて、前述したリンク情報保存手段１４ｂから関連リンク集合（ＵＲＬ）を取得する機能（図２の関連リンク集合取得手段１２ｃ）と、関連リンク集合取得手段１２ｃが取得した関連リンク集合（ＵＲＬ）に基づいて、文書一時保存サーバ１ａ（関連コンテンツ検索手段１１ｃ）に対して問い合わせを行うとともに、関連コンテンツ検索手段１１ｃの検索結果を取得する機能（図２の関連コンテンツ取得手段１２ｄ）とを有している。
【００２７】
図１に戻り、自席ＰＣ４は、文書に対する所定の操作（登録、ファイルオープン、ダウンロード、削除、編集等）を行うためのものである。本実施形態では、自席ＰＣ４に複合機２（ネットワークプリンタ）のプリンタドライバがインストールされているため、自席ＰＣ４から電子文書の印刷指示を行うことが可能である。
【００２８】
携帯電話３は、図２に示されるように、紙媒体に印刷された識別子コード１１１を撮影可能なカメラ３０を有している。また、携帯電話３は、カメラ３０により撮影された識別子コード１１１の撮影画像に基づいて文書ＩＤを認識する機能（図２の紙文書ＩＤ認識手段１３ａ（識別子取得手段））を有している。
【００２９】
また、携帯電話３は、ユーザの操作により、インターネットに接続して、文書に関連する情報を検索する機能（図２の関連情報検索手段１３ｂ（関連情報取得手段））と、紙文書ＩＤ認識手段１３ａにより認識された文書ＩＤと関連情報検出手段１３ｃとを関連付けた状態で、リンク情報管理サーバ１ｂに送信する機能（図２のリンク情報登録手段１３ｃ）とを有している。
【００３０】
図１に戻り、ＳＳＬ−ＶＰＮ装置５は、暗号化にＳＳＬを利用し、インターネットなどの公衆回線網に暗号化された仮想回線を構築して、企業の拠点間などを安全に結ぶための装置である。
【００３１】
次に、本第１の実施形態の情報処理システム１００が処理するデータの構造について図４（ａ）〜図４（ｄ）に基づいて説明する。
【００３２】
携帯電話３は、図４（ａ）に示されるように、文書別関連コンテンツフォルダを保持しており、また、文書別関連コンテンツフォルダは、コンテンツデータを保持している。このうち、文書別関連コンテンツフォルダは、文書ＩＤを含み、コンテンツデータは、文書ＵＲＬを含んでいる。
【００３３】
リンク情報管理サーバ１ｂは、図４（ｂ）に示されるように、ユーザ別に利用している文書の文書ＩＤを纏めたユーザ別リンク情報を保持しており、そのユーザ別リンク情報は、リンクデータを保持している。また、リンクデータには、ユーザが携帯電話３にて検索したＵＲＬを含む関連リンクＵＲＬデータが含まれている。これらのうち、ユーザ別リンク情報は、文書ＩＤを含み、リンクデータは保存文書ＩＤ及びリンク情報付き文書を含み、関連リンクＵＲＬは、関連文書ＵＲＬを含んでいる。
【００３４】
文書一時保存サーバ１ａは、図４（ｃ）に示されるように、複合機２において印刷する電子文書（一時保存文書）のデータを保持している。この場合の一時保存文書データには、文書一時保存サーバ１ａで算出した文書ＩＤと、電子文書のコンテンツとが含まれる。
【００３５】
複合機２は、図４（ｄ）に示されるように、現在利用しているユーザのユーザＩＤである、カレントユーザＩＤを含んでいる。
【００３６】
次に、本第１の実施形態の情報処理システム１００における処理について、図５〜図７（ｄ）に基づいて説明する。
【００３７】
本第１の実施形態では、図５に二点鎖線で囲まれて示されるように、大きく分けて、ＩＤ付き文書印刷ステップと、文書ＩＤと関連リンクとの関連付けステップと、関連コンテンツの印刷ステップと、が行われる。以下、これらステップごとに、各処理について、図５の括弧付き数字と対応付けて説明するものとする。
【００３８】
＜ＩＤ付き文書印刷ステップ＞
（１）まず、自席ＰＣ４を操作するユーザにより、自席ＰＣ４やサーバなどに格納された電子文書の印刷指示が出されると、自席ＰＣ４では、その指示を、複合機２に対して送信する。
【００３９】
（２）次いで、印刷指示を受信した複合機２は、印刷対象の電子文書を文書一時保存サーバ１ａに送信する。（３）そして、印刷対象の電子文書を受信した文書一時保存サーバ１ａ（図２の文書一時保存手段１１ｂ）は、その電子文書を保存する、（４）また、文書一時保存サーバ１ａ（図２の文書ＩＤ算出提供手段１１ａ）は、保存した電子文書に対応した一意の文書ＩＤを生成し、その文書ＩＤを複合機２に対して送信する。なお、上記（３）において保存された電子文書は、（４）にて生成された文書ＩＤと関連付けた状態で保存される。
【００４０】
（５）その後、複合機２（ＩＤ付き文書印刷手段１２ａ）が、文書一時保存サーバ１ａから返信された文書ＩＤを受信、取得すると、（６）複合機２は、文書ＩＤを識別子コード１１１（図３参照）に変換し、その識別子コード１１１を、電子文書とともに紙媒体に印刷する（以下、識別子コード１１１と電子文書が印刷された紙媒体を、「ＩＤ付き紙文書」とも呼ぶものとする）。
【００４１】
上記のようにして＜ＩＤ付き文書印刷ステップ＞が終了した段階では、ユーザが、ＩＤ付き紙文書を所有した状態にあり、文書一時保存サーバ１ａには、電子文書が、文書ＩＤと関連付けられた状態で保存された状態となっている。
【００４２】
＜文書ＩＤと関連リンクとの関連付けステップ＞
（７）このステップでは、まず、携帯電話３を操作するユーザ（上記紙文書を保持しているユーザ）により、携帯電話３の画面上に、図６（ａ）に示されるようなメニュー画面が呼び出され、メニューの中から「新規リンクフォルダ作成」の項目が選択される。これにより、携帯電話３は、その画面上に、図６（ｂ）に示されるような、文書ＩＤ（識別子コード１１１）の撮影を促すメッセージを表示する。
【００４３】
次いで、図６（ｃ）に示されるように、ユーザにより、携帯電話３のカメラ３０を用いた紙文書の識別子コード１１１の撮影が行われると、携帯電話３の紙文書ＩＤ認識手段１３ａは、撮影された識別子コード１１１から、文書ＩＤを認識するとともに、当該紙文書に関連するインターネット上のコンテンツ情報（ＵＲＬ）を保存するための論理的なフォルダを携帯電話３内に生成する。このようにして論理的なフォルダが生成された段階で、携帯電話３の画面上には、図６（ｄ）に示されるようなメッセージが表示される。
【００４４】
（８）次いで、ユーザにより、図６（ｄ）の画面上の「確認」ボタンが押されると、携帯電話３は、その画面上に、図７（ａ）に示されるようなＵＲＬ指定画面を表示する。この画面上では、ユーザは、検索エンジンなどのＵＲＬを直接入力することもできるし、例えば「サブメニュー」に含まれる「ブックマーク」や「お気に入り」などの項目から、検索エンジンを呼び出すこともできる。また、ユーザは、上記のようにして呼び出した検索エンジンに、キーワードを入力することによって、所望のコンテンツにアクセスすることが可能である。そして、図７（ｂ）に示されるように、携帯電話３の画面上に所望のコンテンツが表示されている状態で、ユーザによって「登録」ボタンが押されると、携帯電話３のリンク情報登録手段１３ｃは、そのコンテンツのＵＲＬを文書ＩＤに対応するフォルダに格納する。また、これに続けて、ユーザによって別の新たなコンテンツへのアクセスが行われ、図７（ｂ）の画面において「登録」ボタンが押された場合には、携帯電話３のリンク情報登録手段１３ｃは、その新たなコンテンツのＵＲＬについても、文書ＩＤに対応するフォルダに格納する。
【００４５】
そして、検索を終了したユーザにより、図７（ｂ）の画面において「次へ」ボタンが押されると、携帯電話３は、その画面上に、図７（ｃ）に示されるように、上記「登録」ボタンを押したコンテンツの一覧を表示する。
【００４６】
（９）その後、ユーザにより、コンテンツの一覧が確認され、更に「登録」ボタンが押されると、携帯電話３のリンク情報登録手段１３ｃは、携帯電話３のユーザＩＤ、文書ＩＤ、関連リンク情報（ＵＲＬ）を含む「リンク情報登録依頼メッセージ」を、リンク情報管理サーバ１ｂ（リンク情報受信手段１４ａ）に対して送信する。
【００４７】
（１０）そして、リンク情報管理サーバ１ｂのリンク情報受信手段１４ａは、そのリンク情報登録依頼メッセージをリンク情報保存手段１４ｂに送信し、リンク情報保存手段１４ｂでは、受信したリンク情報登録依頼メッセージを保存する。なお、図５では不図示であるが、上記リンク情報登録依頼メッセージの送信、保存動作が終了した段階で、リンク情報保存手段１４ｂから携帯電話３に対して、リンク情報登録完了メッセージ（返信対象メッセージＩＤを含む）が送信され、当該メッセージを受信した携帯電話３は、画面上に、図７（ｄ）に示されるような動作完了メッセージを表示する。
【００４８】
（１１）次いで、リンク情報管理サーバ１ｂでは、リンク情報登録依頼メッセージに含まれる文書ＩＤに基づいて、文書一時保存サーバ１ａに格納されている当該文書ＩＤの電子文書（コンテンツ）を取得し、当該電子文書に対して、関連リンク情報（ＵＲＬ）を埋め込んだビューワ形式の文書（ＰＤＦ形式等の文書ファイル）を生成し、リンク情報管理サーバ１ｂのユーザ別に管理されているリンク情報として格納する。なお、リンク情報管理サーバ１ｂによる上記電子文書の取得は、文書一時保存サーバ１ａに対して「文書取得依頼メッセージ（メッセージＩＤと文書ＩＤを含む）」を送信するとともに、このメッセージに対する文書一時保存サーバ１ａから送信される「文書取得応答メッセージ（返信対象メッセージＩＤと文書コンテンツを含む）」を受信することにより実現される。
【００４９】
このようにして生成されたビューワ形式の文書は、携帯電話３や自席ＰＣ４から、リンク情報管理サーバ１ｂに対して、「リンク付き文書取得依頼メッセージ（メッセージＩＤ、ユーザＩＤ及び文書ＩＤを含む）」を送信することによって、取得することができ、ユーザは、取得したビューワ形式の文書を閲覧しているときに、埋め込まれた関連リンク情報（ＵＲＬ）を選択（クリック）することにより、Ｗｅｂブラウザ上に関連する情報を表示することができるようになる。
【００５０】
上記のようにして、＜文書ＩＤと関連リンクとの関連付けステップ＞が終了した段階では、リンク情報管理サーバ１ｂに、文書ＩＤと関連付けられた状態の関連リンク情報と、リンク付き文書と、が保存された状態となっている。
【００５１】
＜関連コンテンツの印刷ステップ＞
（１２）このステップでは、まず、ユーザ（紙文書を保持するユーザ）は、複合機２の利用に際して、ログインをおこなう必要がある。この際、ユーザによって入力されるユーザＩＤは、カレントユーザＩＤとして複合機２内に記憶される。そして、ユーザにより、複合機２を用いた紙文書のスキャンが行われると、複合機２の文書ＩＤ読み取り手段１２ｂは、紙文書の中から識別子コード１１１を抽出して、文書ＩＤを認識する。
【００５２】
（１３）そして、複合機２の関連リンク集合取得手段１２ｃでは、その文書ＩＤに基づいて、リンク情報管理サーバ１ｂ（リンク情報保存手段１４ｂ）に対して、「リンク情報取得依頼メッセージ（メッセージＩＤ、文書ＩＤ及びログインの際に指定されたユーザＩＤを含む）」を送信する。
【００５３】
（１４）次いで、リンク情報管理サーバ１ｂ（リンク情報保存手段１４ｂ）では、受信した「リンク情報取得依頼メッセージ」に含まれるユーザＩＤと文書ＩＤとが合致する関連リンク集合が登録されているかどうかを調べ、該当する関連リンク集合が登録されていれば、その紙文書に関連付けられた関連リンク情報を、「リンク情報取得応答メッセージ（返信対象メッセージＩＤ及びリンク集合を含む）」として、複合機２の関連リンク集合取得手段１２ｃに送り返す。
【００５４】
（１５）複合機２は、リンク情報取得応答メッセージ（関連リンク集合）を取得すると、（１６）当該関連リンク集合に基づいて、文書一時保存サーバ１ａに対して、関連コンテンツの取得（検索）依頼を送信する。
【００５５】
（１７）これに対し、文書一時保存サーバ１ａでは、関連コンテンツ検索手段１１ｃにおいて、関連リンク集合に含まれるＵＲＬに基づいて、インターネット上で関連コンテンツを検索し、当該検索により取得されたコンテンツを、複合機２に送り返す。
【００５６】
（１８）そして、複合機２では、文書一時保存サーバ１ａから送信されてきた関連コンテンツを取得して、（１９）その関連コンテンツの印刷を実行する。
【００５７】
このように、＜関連コンテンツの印刷ステップ＞では、ユーザは、紙文書を複合機２を用いてスキャンするのみで、携帯電話３で閲覧した関連コンテンツを自動的に印刷することができるようになっている。
【００５８】
なお、上記においては、紙文書をスキャンすることにより、関連付けられた全てのコンテンツが自動的に印刷される場合について説明したが、これに限らず、例えば、図５の（１５）において、複合機２が関連リンク集合を取得した段階で、複合機２の画面（タッチパネル）上に関連リンクの一覧を表示し、ユーザに、その一覧の中から、印刷する必要のあるコンテンツ又は印刷する必要の無いコンテンツを選択させるようにしても良い。
【００５９】
以上詳細に説明したように、本第１の実施形態によると、リンク情報管理サーバ１ｂは、携帯電話３のカメラ３０により撮影された識別子コード１１１から認識された文書ＩＤと、当該文書ＩＤの文書に関連するコンテンツのリンク情報とを保存し、複合機２は、紙文書をスキャンして取得した文書ＩＤに対応する関連リンク情報を、リンク情報管理サーバ１ｂから取得して、それに基づいて文書一時保存サーバ１ａから関連コンテンツを取得して印刷するので、ユーザは、紙文書を複合機２でスキャンして複合機２に識別子を取得させ動作を行うるのみで、自動的に関連コンテンツの印刷を行うことができる。
【００６０】
また、本第１の実施形態では、リンク情報管理サーバ１ｂに、ビューワ形式の文書が保存されているので、自席ＰＣ４や携帯電話３から、当該文書を取得し、閲覧することで、紙媒体に印刷された電子文書の内容と、関連コンテンツの両方に対して簡易にアクセスすることが可能である。
【００６１】
また、本第１の実施形態では、文書一時保存サーバ１ａが関連コンテンツ検索手段１１ｃを有しており、当該関連コンテンツ検索手段１１ｃが、関連リンク集合に基づいて関連コンテンツをインターネット上で検索するので、複合機２にインターネットを介して関連コンテンツを取得する機能を設ける必要が無い。
【００６２】
なお、上記第１の実施形態では、単一の複合機２を用いて説明しているが、オフィス内のネットワーク（イントラネット６）上に複合機２が複数台あっても良い。この場合、例えば、複数台の複合機のうち、一の複合機を用いて文書ＩＤが埋め込まれた紙文書を印刷するとともに、当該紙文書を他の複合機でスキャンすることにより、他の複合機にて関連コンテンツを印刷するようにしても良い。
【００６３】
《第２の実施形態》
次に、本発明の第２の実施形態について、図８〜図１２（ｄ）に基づいて説明する。本第２の実施形態は、識別子コード１１１が印刷されていない紙文書に、関連コンテンツを対応付けるためのものである。
【００６４】
図８には、本第２の実施形態の情報処理システム１００’の構成が概略的に示されている。この図８に示されるように、本第２の実施形態の情報処理システム１００’は、上述した第１の実施形態の情報処理システム１００と異なり、複合機２にＩＣタグリーダライタ２ａが設けられているとともに、これに対応して、ユーザが使用する携帯電話３にＩＣタグ（不図示）が設けられている点に特徴を有している。
【００６５】
図９には、上記情報処理システム１００’の構成が具体的に示されている。この図９と図２（第１の実施形態）とを比較すると分かるように、複合機２は、図２の構成に加えて、文書スキャン手段１２ｅ（スキャン手段）と、スキャン文書ＩＤ提供手段１２ｆとを有している点に特徴を有している。このうち、スキャン文書ＩＤ提供手段１２ｆは、前述したＩＣタグリーダライタ２ａの機能を示したものである。また、図９と図２（第１の実施形態）とを比較すると分かるように、携帯電話３は、図２の構成に加えて、スキャン文書ＩＤ取得手段１３ｄを有している点に特徴を有している。このスキャン文書ＩＤ取得手段１３ｄは、前述したＩＣタグの機能を示したものである。
【００６６】
図１０（ａ）〜図１０（ｄ）には、情報処理システム１００’が処理するデータの構造が示されている。この図１０（ａ）〜図１０（ｄ）と図４（ａ）〜図４（ｄ）（第１の実施形態）とを比較すると分かるように、本第２の実施形態では、図４（ａ）の携帯電話３がＩＣタグ通信データを保有しているとともに、複合機２がＩＣタグ通信データを保有している点に特徴を有している。
【００６７】
このように構成される情報処理システム１００’では、図１１に示される処理が行われる。この図１１の処理では、文書ＩＤと関連リンクとの関連付けステップと、関連コンテンツの印刷ステップと、が行われる。以下、これらステップごとに、各処理について図１１の括弧付き数字と対応付けて説明するものとする。なお、図１１では、図５（第１の実施形態）と同一の処理には、同一の括弧付き数字を付し、同一ではないが対応する処理には、括弧付き数字に「’」を付して示している。
【００６８】
＜文書ＩＤと関連リンクの関連付けステップ＞
（２’）まず、ユーザにより、携帯電話３の画面上に図１２（ａ）に示されるようなメニュー画面が呼び出され、ユーザによって、そのメニュー画面の中から、「スキャン文書ＩＤ認識」の項目が選択されると、携帯電話３では、その画面上に、図１２（ｂ）に示されるように、紙文書のスキャン動作と、携帯電話３をＩＣタグリーダライタ２ａにかざす動作とを促すメッセージを表示する。
【００６９】
この状態で、識別子コード１１１が印刷されてない紙文書が、ユーザによって、複合機２にてスキャンされると、複合機２は、スキャンした文書のイメージ画像を、文書一時保存サーバ１ａに対して送信する。
【００７０】
（３）次いで、文書のイメージ画像を受信した文書一時保存サーバ１ａでは、文書一時保存手段１１ｂにおいて、そのイメージ画像を保存し、（４）文書ＩＤ算出提供手段１１ａにおいて、保存したイメージ画像に対応した一意の文書ＩＤを生成して、その文書ＩＤを複合機２に対して送信する。なお、上記（３）において保存された電子文書は、（４）にて生成された文書ＩＤと関連付けた状態で保存される。なお、上記（２’）〜（４）の処理は、具体的には、複合機２から文書一時保存サーバ１ａに対して「文書保存依頼メッセージ（メッセージＩＤと文書コンテンツとを含む）」が送信され、これに対して、文書一時保存サーバ１ａから複合機２に対し「文書保存応答メッセージ（返信対象メッセージＩＤと文書ＩＤとを含む）」が送り返されることにより実現される。
【００７１】
（５）複合機２において、文書ＩＤが受信、取得されると、（６）複合機２では、ＩＣタグリーダライタ２ａ（図９では、スキャン文書ＩＤ提供手段１２ｆ）に対して、文書ＩＤの情報の書き込みを行う。この段階で、複合機２は、当該複合機２の画面（タッチパネル）上に、図１２（ｃ）に示されるような携帯電話３をＩＣタグリーダライタ２ａにかざすよう促すメッセージを表示する。
【００７２】
（７’）その後、ユーザにより、ＩＣタグ付き携帯電話３がＩＣタグリーダライタ２ａにかざされると、ＩＣタグリーダライタ２ａ及びＩＣタグを介して、複合機２から携帯電話３に文書ＩＤの情報が送信されるようになっている。また、この送信と同時に、携帯電話３内には、当該文書に関連するインターネット上のコンテンツ（関連コンテンツ）のＵＲＬを保存するための論理的なフォルダが生成される。このようにして論理的なフォルダが生成されると、携帯電話３の画面上には、図１２（ｄ）に示されるようなメッセージが表示される。
【００７３】
その後、（８）関連コンテンツの検索（図７（ａ）〜図７（ｄ）のような携帯電話３上での検索）、（９）携帯電話３からリンク情報管理サーバ１ｂへのリンク情報の送信、（１０）リンク情報管理サーバ１ｂにおけるリンク情報の登録、（１１）リンク付き文書（ビューワ形式の文書）の生成、の処理を経ることにより、文書ＩＤと関連リンクの関連付けステップの全処理が終了する。
【００７４】
＜関連コンテンツの印刷ステップ＞
（１２’）ユーザにより、複合機２のＩＣタグリーダライタ２ａに、携帯電話３（画面上において所定の文書ＩＤが選択された状態の携帯電話３）のＩＣタグがかざされると、複合機２はその文書ＩＤを取得する。
【００７５】
その後は、（１３）複合機２が、取得した文書ＩＤに基づいて、リンク情報管理サーバ１ｂに対して、「リンク情報取得依頼メッセージ」を送信し、（１４）リンク情報管理サーバ１ｂでは、受信した「リンク情報取得依頼メッセージ」に基づいて、「リンク情報取得応答メッセージ（関連リンク集合を含む）」を、複合機２に送り返す。また、（１５）複合機２が、リンク情報取得応答メッセージ（関連リンク集合）を取得すると、（１６）当該関連リンク集合に基づいて、文書一時保存サーバ１ａに対して、関連コンテンツの取得（検索）依頼を送信し、（１７）文書一時保存サーバ１ａでは、関連リンク集合に含まれるＵＲＬに基づいて、インターネット上で関連コンテンツを検索して、当該検索により取得されたコンテンツを、複合機２に送り返す。（１８）そして、複合機２では、文書一時保存サーバ１ａから送信されてきた関連コンテンツを取得し、（１９）その関連コンテンツの印刷を実行する。
【００７６】
このようにして＜関連コンテンツの印刷ステップ＞を実行することにより、紙文書に関連するコンテンツ（携帯電話３で過去に閲覧したコンテンツ）を、自動的に印刷することが可能である。
【００７７】
以上、説明したように、本第２の実施形態によると、リンク情報管理サーバ１ｂは、携帯電話３が複合機２のＩＣタグリーダライタ２ａから取得した文書ＩＤと、当該文書ＩＤの文書に関連するコンテンツのリンク情報とを保存し、複合機２は、ＩＣタグリーダライタ２ａを介して携帯電話３から取得した文書ＩＤに対応する関連リンク情報をリンク情報管理サーバ１ｂから取得して、それに基づいて文書一時保存サーバ１ａから取得した関連コンテンツを印刷するので、ユーザは、複合機２のＩＣタグリーダライタ２ａに携帯電話３のＩＣタグをかざす動作を行うのみで、自動的に関連コンテンツの印刷を行うことができる。
【００７８】
なお、上記第２の実施形態では、携帯電話３をＩＣタグリーダライタ２ａにかざすことにより、関連コンテンツの全てが自動的に印刷される場合について説明したが、これに限らず、例えば、図１１の（１５）において、複合機２が関連リンク集合を取得した段階で、複合機２の画面（タッチパネル）上に関連リンクの一覧を表示し、ユーザに、その一覧の中から、印刷する必要のあるコンテンツ又は印刷する必要の無いコンテンツを選択させるようにしても良い。
【００７９】
なお、上記第２の実施形態では、単一の複合機２を用いて説明しているが、オフィス内のネットワーク（イントラネット６）上に複合機２が複数台あっても良く、それら複数台の複合機のうち、一の複合機を用いてスキャン動作、及び携帯電話３による文書ＩＤの取得動作を行い、携帯電話３から他の複合機に対して文書ＩＤを供給し、当該他の複合機から関連コンテンツを印刷するようにしても良い。
【００８０】
なお、上記第２の実施形態の構成では、第１の実施形態の処理と第２の実施形態の処理とを順次選択して、又は並行して行うことも可能である。
【００８１】
また、上記第２の実施形態においては、文書ＩＤを取得した携帯電話から、他の携帯電話に対して、メールや赤外線通信、無線通信等により文書ＩＤを送信するようにすることも可能である。この場合、ユーザＩＤの認証に代えて、ユーザに対してパスワードを入力させることにより、関連コンテンツへのアクセス権の有無を確認することとしても良い。
【００８２】
なお、上記第２の実施形態においては、識別子コード１１１が印刷されていない紙文書を複合機２を用いてスキャンして、その文書イメージを受信した文書一時保存サーバ１ａが、文書イメージから文書ＩＤを算出する場合について説明した。しかしながら、本発明はこれに限られるものではなく、識別子コード１１１が印刷されていない紙文書や、任意の対象物を携帯電話３のカメラ３０を用いて撮影し、その撮影画像を受信した文書一時保存サーバ１ａが、当該撮影画像に基づいて文書ＩＤを算出するようにしても良い。このようにすることにより、上記第２の実施形態と同様の処理を行うことができるとともに、複合機２のスキャナ機能を用いてスキャンすることが比較的困難な対象物（例えば、立体的な対象物）にもＩＤを付与することができるので、このような対象物に対しても関連コンテンツを簡易に関連付けることが可能である。
【００８３】
なお、上記第１、第２の実施形態では、関連コンテンツの処理として、「複合機２による関連コンテンツの印刷」が採用された場合について説明したが、これに限らず、関連コンテンツの処理としては、例えば、指定された相手に対する関連コンテンツのメール送信処理や、関連コンテンツのファックス送信処理を採用しても良い。なお、関連コンテンツの処理は複数種類あっても良く、それら複数種類の処理を同時に実行することとしても良い。
【００８４】
なお、上記第１、第２の実施形態では、携帯電話３上で検索した関連コンテンツを関連付ける対象が、紙文書全体である場合について説明したが、これに限らず、関連付ける対象としては、文書中の所定ページや、所定ページ中の所定部分などを採用することも可能である。
【００８５】
なお、上記第１、第２の実施形態では、携帯情報端末として、携帯電話、ＩＣタグを有する携帯電話を使用した例について説明したが、これに限られるものではなく、携帯電話以外の携帯情報端末（ＰＤＡ、スマートフォンなど）、ＩＣタグを有する携帯情報端末（ＰＤＡ、スマートフォンなど）を使用することとしても良い。
【００８６】
上述した各実施形態は本発明の好適な実施の例である。但し、これに限定されるものではなく、本発明の要旨を逸脱しない範囲内において種々変形実施可能である。
【図面の簡単な説明】
【００８７】
【図１】第１の実施形態に係る情報処理システムの概略構成を示す図である。
【図２】図１の情報処理システムの機能ブロック図である。
【図３】紙媒体に印刷された識別子コードの一例を示す図である。
【図４】図１の情報処理システムで扱うデータの構造を示す図である。
【図５】第１の実施形態の処理を示すフローである。
【図６】図５の処理（７）における携帯電話の画面表示を示す図である。
【図７】図５の処理（８）〜（１０）における携帯電話の画面表示を示す図である。
【図８】第２の実施形態に係る情報処理システムの概略構成を示す図である。
【図９】図８の情報処理システムの機能ブロック図である。
【図１０】図８の情報処理システムで扱うデータの構造を示す図である。
【図１１】第２の実施形態の処理を示すフローである。
【図１２】図１１の処理（２’）、（７’）における携帯電話の画面表示を示す図である。
【符号の説明】
【００８８】
２  複合機（処理手段）
３  携帯電話（携帯情報端末）
１１ａ  文書ＩＤ算出提供手段（識別子生成手段）
１１ｃ  関連コンテンツ検索手段（関連情報供給手段）
１２ａ  ＩＤ付き文書印刷手段（印刷手段）
１２ｅ  文書スキャン手段（スキャン手段）
１２ｆ  スキャン文書ＩＤ提供手段（送信手段の一部）
１３ａ  紙文書ＩＤ認識手段（識別子取得手段）
１３ｂ  関連情報検索手段（関連情報取得手段）
１３ｄ  スキャン文書ＩＤ取得手段（送信手段の一部）
１４ｂ  リンク情報保存手段（保持手段）
３０  カメラ
１００  情報処理システム
１００’  情報処理システム
【図１】
2009088876.tif 000003
【図２】
2009088876.tif 000004
【図３】
2009088876.tif 000005
【図４】
2009088876.tif 000006
【図５】
2009088876.tif 000007
【図６】
2009088876.tif 000008
【図７】
2009088876.tif 000009
【図８】
2009088876.tif 000010
【図９】
2009088876.tif 000011
【図１０】
2009088876.tif 000012
【図１１】
2009088876.tif 000013
【図１２】
2009088876.tif 000014